【事件の表示】
　昭和６３年特許願第　４６６００号「ＣＤプレーヤシステム」拒絶査定に対する審判事件［平成　１年　９月　４日出願公開、特開平　１−２２１１００、平成　７年　１月１８日出願公告、特公平　７−　　４０３９］について、次のとおり審決する。
【結　論】
　本件審判の請求は、成り立たない。
【理　由】
１、手続の経緯、本願発明の認定
　本願は、昭和６３年２月２９日の出願であって、原審において平成１年１月１８日付けで公告したところ、中川裕人から特許異議の申し立てがあり、その申し立て理由により異議理由有りの決定とその決定理由により拒絶の査定がなされたものである。
　本願発明の要旨は、公告後に補正された明細書及び図面の記載によれば、特許請求の範囲の請求項１〜３に記載されたとおりのものと認められるが、その内請求項２には
「再生指令に従いＣＤを再生しオーディオ信号を出力するＣＤ再生部と、手動によりボリューム，バランス，フェダー，バス，トレブル，グラフィックイコライザーの少なくとも１つである音場特性の可変操作を行う音場特性可変操作部と、ＣＤの再生中になされた音場特性可変操作部の操作に従い，前記ＣＤ再生部から出力されるオーディオ信号の特性を調整する音場特性調整部と、を備えたＣＤプレーヤシステムにおいて、
　ＣＤの所定箇所に記録された情報をキーワードとして読み出すキーワード読み出し部と、
　キーワードと曲番別の音場特性を記憶する音場特性記憶部と、
　書込用に指定された曲番を含む書込指令に従い，音場特性可変操作部の操作で設定された音場特性を，前記キーワード読み出し部で読み出したキーワードと指定された曲番に対する音場特性として音場特性記憶部に書き込む音場特性書込部と、
　再生指令に従うＣＤの再生時，前記音場特性記憶部から前記キーワード読み出し部で読み出したキーワードと現在の再生曲番に係る音場特性情報を読み出し，この音場特性情報に基づき音場特性調整部の特性設定制御を行う音場特性設定制御部と、
　を含むことを特徴とするＣＤプレーヤシステム」
の発明（以下、本願発明という）が記載されているものと認められる。
　上記発明に関して明細書３８頁第３〜１１行には「ＣＤより読み出したＴＯＣ情報をキーワードにしてＣＤ別に音場特性のプリセットデータを記憶するプロセットメモリ領域、ノーマルな音場特性に対応したノーマルデータ格納領域などが設けられている。
　ここでキーワードは多数のＣＤを区別できるようにするためＴＯＣ情報の全て（曲数、時間、ディエンファシス、コピー禁止コードなど）が用いられる。」の記載がある。
　
２、刊行物発明
　これに対して、当審が拒絶の理由ー１で引用した特開昭６２ー２６６７６８号公報（以下「第１刊行物」という）は、ディスク再生装置の発明であって、特許請求の範囲の記載には、
「セットされたディスクを判別するディスク判別手段と、
　ディスク再生音量を制御する音量制御手段と、
　ディスク毎の音量設定値を各ディスク判別結果と共に記憶しておくメモリ手段と、
　ディスクがセットされた時、前記ディスク判別手段のディスク判別結果に基づいて前記メモリ手段から対応する音量設定値を読み出し、前記音量制御手段を該設定値となるように自動的に調整する制御手段と、
　を具備してなるディスク再生装置」
の発明（以下、第１刊行物発明という）が記載されており、
　　第３頁右上欄１４行〜右下欄下から第３行に掛けて「（１）キイ入力８８による音量調節」の表題の基に音量アンプボタンを操作することでディジタルボリュウムを制御し、この音量アンプボタンで設定した設定値がディスク毎に不揮発性ＲＡＭに記憶されることの記載がある。
　さらに、ディスクの判別手段として、第３頁右下欄下から２行から第４頁左上欄１３行にかけて「（２）ディスクの判別」の表題の基に
（イ）ディスクのメニュー読込み時におけるサブコーディングデータ信号の利用
　コンパクトディスクの最内周リードイン部においては、第３図に示すようにそのディスクに記憶されている曲数、インデックスおよび各曲のスタート時間等が記憶されているから、その特定のデータ（最終曲番とその始まりの時刻）をディスク判別に用いることが出来る。
（ロ）モード２のＱサブコードの利用
　コンパクトディスクにおけるモード２のＱサブコードにはディスクのカタログ番号が記憶されているから、これを利用してディスクの判別を行うことができる。
という内容のディスク判別手段が例示されている。
　
３、対　比
　以下に、本願発明と第１刊行物発明とを対比する。
　第１刊行物発明と本願発明との用語を比較すると、
　刊行物発明と本願発明とでは、制御する音場特性が、第１刊行物発明では音量のみであるのに対して、本願発明は「手動によりボリューム，バランス，フェダー，バス，トレブル，グラフィックイコライザーの少なくとも１つである音場特性の可変操作を行う音場特性可変操作部」で構成上の表現が異なるが、該記載には「少なくとも１つである音場特性」とあること、および本願発明の「ボリューム」は刊行物発明の「音量」に対応するので、本願発明の音場特性の可変は刊行物発明の「音場」のみの制御の場合も含む広義の表現と認められる。
　また、ＣＤ判別構成を対比すると、刊行物は、刊行物発明の認定の項で摘示したように、「コンパクトディスクの最内周リードイン部においては、第３図に示すようにそのディスクに記憶されている曲数、インデックスおよび各曲のスタート時間等が記憶されているから、その特定のデータ（最終曲番とその始まりの時刻）をディスク判別に用いることが出来る」とあるようにＣＤの所定箇所に記憶されている情報をＣＤ判別のデータとして用いている。一方、本願発明もＣＤの所定箇所に記憶された情報をキーワードとし、具体的にはＣＤに記憶さているＴＯＣデータをキーワードとしてＣＤを判別しているので、刊行物発明と格別の相違はない。
　してみると、刊行物発明の
「セットされたディスクを判別するディスク判別手段」・「ディスク再生音量を制御する音量制御手段」・「ディスク毎の音量設定値を各ディスク判別結果と共に記憶しておくメモリ手段」・「ディスクがセットされた時、前記ディスク判別手段のディスク判別結果に基づいて前記メモリ手段から対応する音量設定値を読み出し、前記音量制御手段を該設定値となるように自動的に調整する制御手段」・「ディスク再生装置」は、
　本願発明の「ＣＤの所定箇所に記録された情報をキーワードとして読み出すキーワード読み出し部」・「ＣＤの再生中になされた音場特性可変操作部の操作に従い，前記ＣＤ再生部から出力されるオーディオ信号の特性を調整する音場特性調整部」・「キーワード」「別の音場特性を記憶する音場特性記憶部」さらには「書込用に指定された曲番を含む書込指令に従い，音場特性可変操作部の操作で設定された音場特性を，前記キーワード読み出し部で読み出したキーワード」「に対する音場特性として音場特性記憶部に書き込む音場特性書込部」・「再生指令に従うＣＤの再生時，前記音場特性記憶部から前記キーワード読み出し部で読み出したキーワード」「に係る音場特性情報を読み出し，この音場特性情報に基づき音場特性調整部の特性設定制御を行う音場特性設定制御部」・「再生指令に従いＣＤを再生しオーディオ信号を出力するＣＤ再生部」および「ＣＤプレーヤシステム」の構成要素は対応するものと認められるので、
　本願発明の表現を持って刊行物発明を表現をすれば、刊行物には
「再生指令に従いＣＤを再生しオーディオ信号を出力するＣＤ再生部」と、
「ＣＤの再生中になされた音場特性可変操作部の操作に従い，前記ＣＤ再生部から出力されるオーディオ信号の特性を調整する音場特性調整部」と、　を備えた「ＣＤプレーヤシステム」において、
「ＣＤの所定箇所に記録された情報をキーワードとして読み出すキーワード読み出し部」と、
「キーワード」「別の音場特性を記憶する音場特性記憶部」と、
「書込用に指定された曲番を含む書込指令に従い，音場特性可変操作部の操作で設定された音場特性を，前記キーワード読み出し部で読み出したキーワード」「に対する音場特性として音場特性記憶部に書き込む音場特性書込部」と、
「再生指令に従うＣＤの再生時，前記音場特性記憶部から前記キーワード読み出し部で読み出したキーワード」「に係る音場特性情報を読み出し，この音場特性情報に基づき音場特性調整部の特性設定制御を行う音場特性設定制御部」と、
　を含む「ＣＤプレーヤシステム」
では一致しているものの、
刊行物発明には本願発明の構成である
（１）音場特性可変操作部が、刊行物発明では音量の調整のみであるのに対して、本願発明は「ボリューム，バランス，フェダー，バス，トレブル，グラフィックイコライザーの少なくとも１つである音場特性」という複数の音場特性を可変出来るようにするために「手動によりボリューム，バランス，フェダー，バス，トレブル，グラフィックイコライザーの少なくとも１つである音場特性の音場可変操作を行う音場特性可変操作部」という構成を有する点（相違点１という）
（２）音場調整をする単位が、刊行物発明では「ディスク」毎であるのに対して、本願発明では「キーワードと指定された曲番」もしくは「キーワードと現在の再生曲番」とディスクとディスクに記憶されている曲番までを指定する点（以下、相違点２という）
　
４、相違点に対する当審の判断
　相違点１に対して
　オーディオシステムにおいて、音場特性の補正対象として音量だけでなく「ボリューム，バランス，フェダー，バス，トレブル，グラフィックイコライザーの少なくとも１つである音場特性」を制御することはオーディオシステムにおいて本願出願前に周知・慣用の技術であるから、刊行物発明においても「手動によりボリューム，バランス，フェダー，バス，トレブル，グラフィックイコライザーの少なくとも１つである音場特性の音場可変操作を行う音場特性可変操作部」を設けて、音量を制御するボリュウムの他にバランス等の他の複数の音場特性を可変とすることも当業者が格別の発明力を要せずに採用し得たところと認める。
　相違点２に対して
  刊行物発明は音場調整をする単位が、ディスク毎であるのに対して、本願発明は「キーワードと指定された曲番」もしくは「キーワードと現在の再生曲番」とディスクとディスクに記憶されている曲番までを指定するものであるが、刊行物発明には本願の「キーワード」に相当するディスクに記憶されている情報を読み取って個々のディスクの相違を判別し、ディスク毎に音量を変更出来るようにする技術が開示されている。
　しかも刊行物には上記刊行物発明の認定の項で指摘したとおり刊行物の「（２）ディスクの判別」には、
（イ）ディスクのメニュー読込み時におけるサブコーディングデータ信号の利用
　コンパクトディスクの最内周リードイン部においては第３図に示すようにそのディスクに記憶されている曲数、インデックスおよび各曲のスタート時間等が記憶されているから、その特定のデータ（最終曲番とその始まりの時刻）をディスク判別に用いることが出来る。
（ロ）モード２のＱサブコードの利用
　コンパクトディスクにおけるモード２のＱサブコードにはディスクのカタログ番号が記憶されているから、これを利用してディスクの判別を行うことができる。
と記載されている。
　この記載からは、（ロ）のディスクのカタログナンバーでディスクを特定する他に、（イ）に記載されるように、コンパクトディスクの最内周リードイン部においては、そのディスクに記憶されている曲数、インデックスおよび各曲のスタート時間等が記憶されているいるので、特定曲番とその始まりの時刻を読みとってその情報を単にディスクを特定するのに用いるだけでなく、ディスクに記憶されている各曲番情報を個々に読みとってディスクのみならず曲毎に音場特性を変更させることも、当業者が容易に想到し得たところと認める。
　
５、むすび
　したがって、本願発明は、当審で示した刊行物に記載された発明に基づいて当業者が容易に発明をすることができたものと認められるので、特許法第２９条第２項の規定により特許をすることができない。　 
　よって結論のとおり審決する。